(57)【要約】【課題】タッチ駆動高速化と表示品位保持とを両立した額縁狭小化に寄与できる表示装置を提供する。【解決手段】表示装置は、複数の画素電極と、複数の駆動電極と、タッチ検出電極と、を有し、表示期間には、複数の画素電極と複数の駆動電極との間に生じる電圧によって表示機能層が制御され、タッチ検出期間には、タッチ検出電極の電圧を検出することによりタッチ検出を行う表示装置である。表示期間には、複数の駆動電極ＣＯＭＬは配線ＶＣＯＭＡＣに接続され、タッチ検出期間には、複数の駆動電極ＣＯＭＬのうちの選択駆動電極は配線ＶＣＯＭＡＣに接続され、複数の駆動電極ＣＯＭＬのうちの他の非選択駆動電極は配線ＶＣＯＭＤＣに接続される。【選択図】図６
2017010216.tif 000002
【特許請求の範囲】
【請求項１】
複数の画素電極と、複数の駆動電極と、タッチ検出電極と、を有し、
第１の期間には、前記複数の画素電極と前記複数の駆動電極との間に生じる電圧によって表示機能層が制御され、
第２の期間には、前記タッチ検出電極の電圧を検出することによりタッチ検出を行う表示装置であって、
前記第１の期間には、前記複数の駆動電極は第１の配線に接続され、
前記第２の期間には、前記複数の駆動電極のうちの一部は前記第１の配線に接続され、前記複数の駆動電極のうちの他の一部は第２の配線に接続される、表示装置。
【請求項２】
請求項１に記載の表示装置において、
前記第２の配線は、前記複数の駆動電極と前記第１の配線との間に設けられている、表示装置。
【請求項３】
請求項２に記載の表示装置において、
前記第２の配線の幅は、前記第１の配線の幅よりも狭い、表示装置。
【請求項４】
請求項１に記載の表示装置において、
前記第１の期間において、前記第１の配線を介して前記複数の駆動電極に直流電圧が供給され、
前記第２の期間において、前記複数の駆動電極のうちの一部には前記第１の配線を介して交流電圧が供給され、前記複数の駆動電極のうちの他の一部には前記第２の配線を介して直流電圧が供給される、表示装置。
【請求項５】
第１の画素電極と、
前記第１の画素電極に対向して設けられた第１の駆動電極と、
第２の画素電極と、
前記第２の画素電極に対向して設けられた第２の駆動電極と、
前記第１の駆動電極と前記第２の駆動電極とに対向して設けられたタッチ検出電極と、
前記第１の画素電極と前記第１の駆動電極との間、及び、前記第２の画素電極と前記第２の駆動電極との間に設けられた表示機能層と、
第１の信号線と、
前記第１の信号線と前記第１の駆動電極との間に設けられた第１のスイッチと、
前記第１の信号線と前記第２の駆動電極との間に設けられた第２のスイッチと、
を有する表示装置であって、
第１の期間において、前記第１のスイッチと前記第２のスイッチとはオン状態となり、
第２の期間において、前記第１のスイッチはオン状態となり、前記第２のスイッチはオフ状態となり、
第３の期間において、前記第１のスイッチはオフ状態となり、前記第２のスイッチはオン状態となる、表示装置。
【請求項６】
請求項５に記載の表示装置において、
前記表示装置は、更に、第２の信号線と、前記第２の信号線と前記第１の駆動電極との間に設けられた第３のスイッチと、前記第２の信号線と前記第２の駆動電極との間に設けられた第４のスイッチと、を有し、
前記第２の期間において、前記第３のスイッチはオフ状態となり、前記第４のスイッチはオン状態となり、
前記第３の期間において、前記第３のスイッチはオン状態となり、前記第４のスイッチはオフ状態となる、表示装置。
【請求項７】
請求項６に記載の表示装置において、
前記第１の期間において、前記第３のスイッチと前記第４のスイッチとはオフ状態となる、表示装置。
【請求項８】
請求項７に記載の表示装置において、
前記第１のスイッチ、前記第２のスイッチ、前記第３のスイッチ、及び前記第４のスイッチは、トランジスタからなり、各スイッチのオン状態では各トランジスタが導通状態となり、各スイッチのオフ状態では各トランジスタが非導通状態となる、表示装置。
【請求項９】
タッチ検出と、表示とを時分割で行う表示装置であって、
前記タッチ検出のための駆動信号と、前記表示のための駆動電圧とが時分割で供給される駆動電極を有しており、
前記タッチ検出の期間には、第１の配線を介して、前記駆動電極に駆動信号が供給され、
前記表示の期間には、前記第１の配線を介して、前記駆動電極に前記駆動電圧が供給される、表示装置。
【請求項１０】
請求項９に記載の表示装置において、
前記駆動信号は、接地電圧より電圧レベルが高い第１の電圧と、前記接地電圧より電圧レベルが低い第２の電圧との間で振幅が周期的に変化する交流駆動信号である、表示装置。
【請求項１１】
請求項１０に記載の表示装置において、
前記タッチ検出の期間には、前記第１の配線を介して、前記駆動電極に前記駆動信号として、前記第１の電圧と前記第２の電圧との間で振幅が周期的に変化する交流駆動信号が供給され、
前記表示の期間には、前記第１の配線を介して、前記駆動電極に前記駆動電圧として、前記第２の電圧と電圧レベルが等しい直流駆動電圧が供給される、表示装置。
【請求項１２】
請求項９に記載の表示装置において、
前記駆動信号は、接地電圧と、前記接地電圧より電圧レベルが高い第１の電圧との間で振幅が周期的に変化する交流駆動信号である、表示装置。
【請求項１３】
請求項１２に記載の表示装置において、
前記タッチ検出の期間には、前記第１の配線を介して、前記駆動電極に前記駆動信号として、前記接地電圧と前記第１の電圧との間で振幅が周期的に変化する交流駆動信号が供給され、
前記表示の期間には、前記第１の配線を介して、前記駆動電極に前記駆動電圧として、前記接地電圧より電圧レベルが低い第２の電圧の直流駆動電圧が供給される、表示装置。
【発明の詳細な説明】
【技術分野】
【０００１】
本発明は、外部近接物体を検出可能な表示装置に係わり、特に静電容量の変化に基づいて外部から近接する外部近接物体を検出可能なタッチ検出機能付き表示装置に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化されるタッチ検出機能付き表示装置に用いられている。このタッチ検出機能付き表示装置は、表示装置に各種のボタン画像等を表示させることにより、タッチパネルを通常の機械式ボタンの代わりとして情報入力を可能としている。このようなタッチパネルを有するタッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などのいくつかの方式が存在する。このなかで、静電容量式のタッチ検出装置は、比較的単純な構造を有し、かつ低消費電力が実現できることから、携帯情報端末などに用いられている。例えば、特許文献１には、静電容量式のタッチパネルが記載されている。
【先行技術文献】
【特許文献】
【０００４】
【特許文献１】特開２０１４−１６０４５８号公報
【発明の概要】
【発明が解決しようとする課題】
【０００５】
上述したタッチ検出機能付き表示装置では、表示機能とタッチ検出機能とが一体化されているため、例えば、表示用の駆動電極と、タッチ検出用の駆動電極とを兼用することが知られている。このような場合に、駆動電極に対して、タッチ検出用駆動信号を供給するタッチ検出用駆動信号配線と、表示用駆動電圧を供給する表示用駆動電圧配線との２種類の配線をパネルの額縁領域に引き回す必要がある。
【０００６】
この場合に、タッチ検出用駆動信号配線はタッチ駆動高速化のために、表示用駆動電圧配線は表示品位保持のために、それぞれ低抵抗化が必要である。よって、タッチ検出用駆動信号配線及び表示用駆動電圧配線のそれぞれの配線幅を広くする必要があり、額縁狭小化の阻害要因となっている。上述した特許文献１に記載のタッチ検出機能付き表示装置は、額縁狭小化を可能とした技術ではあるが、タッチ駆動高速化と表示品位保持との両立を考慮したものではない。
【０００７】
本発明の目的は、タッチ駆動高速化と表示品位保持とを両立した額縁狭小化に寄与できる表示装置を提供することにある。
【課題を解決するための手段】
【０００８】
本発明の一態様に係わる表示装置は、複数の画素電極と、複数の駆動電極と、タッチ検出電極と、を有し、第１の期間には、前記複数の画素電極と前記複数の駆動電極との間に生じる電圧によって表示機能層が制御され、第２の期間には、前記タッチ検出電極の電圧を検出することによりタッチ検出を行う表示装置である。前記第１の期間には、前記複数の駆動電極は第１の配線に接続され、前記第２の期間には、前記複数の駆動電極のうちの一部は前記第１の配線に接続され、前記複数の駆動電極のうちの他の一部は第２の配線に接続されるものである。
【０００９】
また、他の一態様として、表示装置は、第１の画素電極と、前記第１の画素電極に対向して設けられた第１の駆動電極と、第２の画素電極と、前記第２の画素電極に対向して設けられた第２の駆動電極と、前記第１の駆動電極と前記第２の駆動電極とに対向して設けられたタッチ検出電極と、前記第１の画素電極と前記第１の駆動電極との間、及び、前記第２の画素電極と前記第２の駆動電極との間に設けられた表示機能層と、第１の信号線と、前記第１の信号線と前記第１の駆動電極との間に設けられた第１のスイッチと、前記第１の信号線と前記第２の駆動電極との間に設けられた第２のスイッチと、を有する表示装置である。第１の期間において、前記第１のスイッチと前記第２のスイッチとはオン状態となり、第２の期間において、前記第１のスイッチはオン状態となり、前記第２のスイッチはオフ状態となり、第３の期間において、前記第１のスイッチはオフ状態となり、前記第２のスイッチはオン状態となるものとしてもよい。
【００１０】
また、他の一態様として、表示装置は、タッチ検出と、表示とを時分割で行う表示装置である。前記表示装置は、前記タッチ検出のための駆動信号と、前記表示のための駆動電圧とが時分割で供給される駆動電極を有しており、前記タッチ検出の期間には、第１の配線を介して、前記駆動電極に駆動信号が供給され、前記表示の期間には、前記第１の配線を介して、前記駆動電極に前記駆動電圧が供給されるものとしてもよい。
【図面の簡単な説明】
【００１１】
【図１】実施の形態１に係わるタッチ検出機能付き表示装置の概略構成の一例を示すブロック図である。
【図２】実施の形態１に係わるタッチ検出機能付き表示装置を実装したモジュールの一例を示す図である。
【図３】実施の形態１に係わるタッチ検出機能付き表示デバイスの概略断面構造の一例を示す断面図である。
【図４】実施の形態１に係わる液晶表示デバイスの画素配列の一例を示す回路図である。
【図５】実施の形態１に係わるタッチ検出デバイスの駆動電極及びタッチ検出電極の構成の一例を示す斜視図である。
【図６】実施の形態１に係わる駆動電極ドライバの駆動信号生成部及び駆動電極走査部の構成の一例を示すブロック図である。
【図７】実施の形態１に係わるタッチ検出機能付き表示装置の動作において、タッチ検出動作と表示動作のタイミング波形の一例を示す説明図である。
【図８】実施の形態１に対する比較例に係わる駆動電極ドライバの駆動信号生成部及び駆動電極走査部の構成の一例を示すブロック図である。
【図９】実施の形態１に対する比較例に係わるタッチ検出機能付き表示装置の動作において、タッチ検出動作と表示動作のタイミング波形の一例を示す説明図である。
【図１０】実施の形態２に係わる駆動電極ドライバの駆動信号生成部及び駆動電極走査部の構成の一例を示すブロック図である。
【図１１】実施の形態２に係わるタッチ検出機能付き表示装置の動作において、タッチ検出動作と表示動作のタイミング波形の一例を示す説明図である。
【発明を実施するための形態】
【００１２】
以下、本発明の各実施の形態について、図面を参照にしつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１３】
また、本明細書と各図において、既出の図に関して前述したものと同様の要素には、同一の符号を付して、詳細な説明を適宜省略することがある。
【００１４】
（実施の形態１）
本実施の形態１に係わるタッチ検出機能付き表示装置について、図１〜図９を用いて説明する。本実施の形態１に係わるタッチ検出機能付き表示装置は、これに限定されるものではないが、例えば、スマートフォンや携帯電話などの携帯情報端末などに用いられる。
【００１５】
＜タッチ検出機能付き表示装置＞
まず、本実施の形態１に係わるタッチ検出機能付き表示装置の構成を、図１を用いて説明する。図１は、本実施の形態１に係わるタッチ検出機能付き表示装置の概略構成の一例を示すブロック図である。
【００１６】
タッチ検出機能付き表示装置１は、タッチ検出機能付き表示デバイス１０と、制御部１１と、ゲートドライバ１２と、ソースドライバ１３と、ソースセレクタ部１３Ｓと、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した装置である。
【００１７】
液晶表示デバイス２０は、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１８】
ゲートドライバ１２は、制御部１１から供給される制御信号に基づいて、タッチ検出機能付き表示デバイス１０の表示駆動の対象となる１水平ラインを順次選択する機能を有している。
【００１９】
ソースドライバ１３は、制御部１１から供給される制御信号に基づいて、タッチ検出機能付き表示デバイス１０の、後述（図４）する各画素Ｐｉｘ（副画素ＳＰｉｘ）に画素信号Ｖｐｉｘを供給する回路である。ソースドライバ１３は、１水平ライン分の制御信号から、液晶表示デバイス２０の複数の副画素ＳＰｉｘの画素信号Ｖｐｉｘを時分割多重化した画像信号Ｖｓｉｇを生成し、ソースセレクタ部１３Ｓに供給する。また、ソースドライバ１３は、画像信号Ｖｓｉｇに多重化された画素信号Ｖｐｉｘを分離するために必要なスイッチ制御信号Ｖｓｅｌを生成し、画像信号Ｖｓｉｇとともにソースセレクタ部１３Ｓに供給する。
【００２０】
駆動電極ドライバ１４は、制御部１１から供給される制御信号に基づいて、タッチ検出機能付き表示デバイス１０の、後述（図４）する駆動電極ＣＯＭＬに駆動信号Ｖｃｏｍを供給する回路である。駆動信号Ｖｃｏｍとしては、タッチ検出用の駆動信号（タッチ検出用駆動信号、以下駆動信号ともいう）ＶｃｏｍＡＣ、表示用の電圧である表示用駆動電圧ＶｃｏｍＤＣがある。
【００２１】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（接触状態）の有無を検出し、タッチがある場合においてタッチ検出領域におけるその座標などを求める回路である。このタッチ検出部４０は、タッチ検出信号増幅部４２と、Ａ／Ｄ変換部４３と、信号処理部４４と、座標抽出部４５と、検出タイミング制御部４６とを備えている。
【００２２】
タッチ検出信号増幅部４２は、タッチ検出デバイス３０から供給されるタッチ検出信号Ｖｄｅｔを増幅する。なお、タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００２３】
タッチ検出デバイス３０は、駆動電極ドライバ１４から供給される駆動信号Ｖｃｏｍ（後述する駆動信号ＶｃｏｍＡＣ）に従って、１検出ブロックずつ順次走査してタッチ検出を行うようになっている。
【００２４】
タッチ検出デバイス３０は、後述（図５）する複数のタッチ検出電極ＴＤＬから、駆動電極ＣＯＭＬの検出ブロックごとにタッチ検出信号Ｖｄｅｔを出力し、タッチ検出部４０のＡ／Ｄ変換部４３に供給するようになっている。
【００２５】
Ａ／Ｄ変換部４３は、駆動信号ＶｃｏｍＡＣに同期したタイミングで、タッチ検出信号増幅部４２から出力されるアナログ信号をそれぞれサンプリングしてデジタル信号に変換する回路である。
【００２６】
信号処理部４４は、Ａ／Ｄ変換部４３の出力信号に含まれる、駆動信号ＶｃｏｍＡＣをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。例えば、信号処理部４４は、検出した指による電圧の差分の信号を所定のしきい値電圧と比較し、電圧の差分がこのしきい値電圧以上であれば、外部近接物体の接触状態であると判断する。一方、信号処理部４４は、検出したデジタル電圧を所定のしきい値電圧と比較し、電圧の差分がしきい値電圧未満であれば、外部近接物体の非接触状態であると判断する。このようにして、タッチ検出部４０はタッチ検出が可能となる。
【００２７】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００２８】
＜モジュール＞
図２は、本実施の形態１に係わるタッチ検出機能付き表示装置１を実装したモジュールの一例を示す図である。
【００２９】
図２に示すように、タッチ検出機能付き表示装置１は、液晶表示デバイス２０と、ゲートドライバ１２（１２Ａ、１２Ｂ）と、駆動電極走査部１４Ａ、１４Ｂと、ソースセレクタ部１３Ｓと、ＣＯＧ（Chip On Glass）１９とを含む。ＣＯＧ１９は、図１に示した制御部１１、ソースドライバ１３、駆動電極ドライバ１４を含む。ゲートドライバ１２Ａ、１２Ｂ、駆動電極走査部１４Ａ、１４Ｂ及びソースセレクタ部１３Ｓは、ガラス基板であるＴＦＴ基板２１に形成されている。ＣＯＧ１９は、ＴＦＴ基板２１に実装されたチップであり、図１に示した制御部１１、ソースドライバ１３など、表示動作に必要な各回路を内蔵したものである。なお、タッチ検出機能付き表示装置１は、ＣＯＧ１９にゲートドライバ１２、ソースセレクタ部１３Ｓなどの回路を内蔵してもよい。
【００３０】
図２に示すタッチ検出機能付き表示装置１は、ＴＦＴ基板２１の表面に対する垂直方向において、駆動電極ＣＯＭＬの駆動電極ブロックＢと、駆動電極ブロックＢ（駆動電極ＣＯＭＬ）と立体交差するように形成されたタッチ検出電極ＴＤＬとを模式的に示している。また、タッチ検出機能付き表示装置１は、ＴＦＴ基板２１の表面に対する垂直方向において、駆動電極ＣＯＭＬと、駆動電極ＣＯＭＬと交差せず平行な方向に延びるように形成された、後述（図４）する走査信号線ＧＣＬを備えている。
【００３１】
また、駆動電極ＣＯＭＬは、一方向に延在する複数のストライプ状の電極パターンに分割されている。タッチ検出動作を行う際は、各電極パターンには、駆動電極ドライバ１４によって駆動信号ＶｃｏｍＡＣが順次供給される。同時に、駆動信号ＶｃｏｍＡＣが供給される、駆動電極ＣＯＭＬの複数のストライプ状の電極パターンが図２に示す駆動電極ブロックＢである。駆動電極ブロックＢ（駆動電極ＣＯＭＬ）は、ＴＦＴ基板２１の短辺方向（横方向）に延在して長辺方向（縦方向）に並列して形成されており、タッチ検出電極ＴＤＬは、ＴＦＴ基板２１の長辺方向に延在して短辺方向に並列して形成されている。
【００３２】
タッチ検出電極ＴＤＬの出力は、ＴＦＴ基板２１の短辺側に設けられ、フレキシブルプリント基板Ｔを介して、フレキシブルプリント基板Ｔに実装されたタッチ検出部４０と接続されている。このように、タッチ検出部４０は、フレキシブルプリント基板Ｔ上に実装され、並設された複数のタッチ検出電極ＴＤＬのそれぞれと接続されている。
【００３３】
ソースセレクタ部１３Ｓは、ＴＦＴ基板２１上の表示領域Ａｄの近傍に、ＴＦＴ素子を用いて形成されている。表示領域Ａｄには、後述（図４）する画素Ｐｉｘがマトリックス状（行列状）に多数配置されている。表示領域Ａｄの外側に位置する額縁領域Ｇｄ、Ｇｄは、ＴＦＴ基板２１の表面を垂直な方向からみて画素Ｐｉｘが配置されていない領域である。ゲートドライバ１２Ａ、１２Ｂと、駆動電極ドライバ１４のうちの駆動電極走査部１４Ａ、１４Ｂとは、額縁領域Ｇｄ、Ｇｄに配置されている。
【００３４】
図１に示したゲートドライバ１２は、ゲートドライバ１２Ａ、１２Ｂを備え、ＴＦＴ基板２１上にＴＦＴ素子を用いて形成されている。ゲートドライバ１２Ａ、１２Ｂは、画素Ｐｉｘがマトリックス状に配置された表示領域Ａｄを挟んで、両側から駆動することができるようになっている。
【００３５】
駆動電極走査部１４Ａ、１４Ｂは、ＴＦＴ基板２１上にＴＦＴ素子を用いて形成されている。駆動電極走査部１４Ａ、１４Ｂは、ＣＯＧ１９内の駆動電極ドライバ１４から、導電体の配線ＶＣＯＭＤＣを介して非選択駆動電極の電位固定用電圧ＶｃｏｍＤＣの供給を受け、導電体の配線ＶＣＯＭＡＣを介してタッチ検出用駆動信号ＶｃｏｍＡＣの供給を受ける。そして、駆動電極走査部１４Ａ、１４Ｂは、並設された複数の駆動電極ブロックＢのそれぞれを、両側から駆動することができるようになっている。
【００３６】
配線ＶＣＯＭＤＣ、ＶＣＯＭＡＣは、ＴＦＴ基板２１上に設けられ、ＴＦＴ基板２１に対して垂直な方向において表示領域Ａｄの外側に位置する額縁領域Ｇｄ、Ｇｄに配設されている。配線ＶＣＯＭＤＣ、ＶＣＯＭＡＣは、額縁領域Ｇｄ、Ｇｄにおいて、ＴＦＴ基板２１の長辺方向に延在して形成され、配線ＶＣＯＭＤＣが駆動電極ＣＯＭＬと配線ＶＣＯＭＡＣとの間に設けられている。
【００３７】
＜タッチ検出機能付き表示デバイス＞
次に、タッチ検出機能付き表示デバイス１０の構成例を詳細に説明する。図３は、本実施の形態１に係わるタッチ検出機能付き表示デバイス１０の概略断面構造の一例を示す断面図である。図４は、本実施の形態１に係わる液晶表示デバイス２０の画素配列の一例を示す回路図である。
【００３８】
図３に示すように、タッチ検出機能付き表示デバイス１０は、画素基板２と、この画素基板２の表面に垂直な方向に対向して配置された対向基板３と、画素基板２と対向基板３との間に挿設された液晶層６とを備えている。
【００３９】
液晶層６は、電界の状態に応じてそこを通過する光を変調するものであり、例えば、ＦＦＳ（Fringe-Field Switching）またはＩＰＳ（In-Place-Switching）等の横電界モードの液晶を用いた液晶表示デバイスが用いられる。なお、図３に示す液晶層６と画素基板２との間、及び液晶層６と対向基板３との間には、それぞれ配向膜が配設されてもよい。
【００４０】
対向基板３は、ガラス基板３１と、このガラス基板３１の一方の面（液晶層６側）に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４１】
画素基板２は、回路基板としてのＴＦＴ基板２１と、このＴＦＴ基板２１上にマトリックス状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４とを含む。
【００４２】
ＴＦＴ基板２１には、図４に示す各副画素ＳＰｉｘの薄膜トランジスタ（ＴＦＴ；Thin Film Transistor）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画素信号Ｖｐｉｘを供給する。図４に示す液晶表示デバイス２０は、マトリックス状に配列した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。液晶素子ＬＣは、画素電極２２と駆動電極ＣＯＭＬとの間に生じる電圧によって制御される表示機能層である。
【００４３】
図３に示すカラーフィルタ３２は、例えば赤（Ｒ）、緑（Ｇ）、青（Ｂ）の３色に着色されたカラーフィルタの色領域を周期的に配列して、図４に示す各副画素ＳＰｉｘにＲ、Ｇ、Ｂの３色の色領域３２Ｒ、３２Ｇ、３２Ｂが１組として画素Ｐｉｘとして対応付けられている。カラーフィルタ３２は、ＴＦＴ基板２１と垂直な方向において、液晶層６と対向する。なお、カラーフィルタ３２は、異なる色に着色されていれば、他の色の組み合わせであってもよい。
【００４４】
図４に示す副画素ＳＰｉｘは、走査信号線ＧＣＬにより、液晶表示デバイス２０の同じ行に属する他の副画素ＳＰｉｘと互いに接続されている。走査信号線ＧＣＬは、ゲートドライバ１２と接続され、ゲートドライバ１２より走査信号Ｖｓｃａｎが供給される。また、副画素ＳＰｉｘは、画素信号線ＳＧＬにより、液晶表示デバイス２０の同じ列に属する他の副画素ＳＰｉｘと互いに接続されている。画素信号線ＳＧＬは、ソースドライバ１３と接続され、ソースドライバ１３より画素信号Ｖｐｉｘが供給される。
【００４５】
図１に示すゲートドライバ１２は、走査信号Ｖｓｃａｎを、図４に示す走査信号線ＧＣＬを介して、副画素ＳＰｉｘのＴＦＴ素子Ｔｒのゲートに印加することにより、液晶表示デバイス２０にマトリックス状に形成されている副画素ＳＰｉｘのうちの１行（１水平ライン）を表示駆動の対象として順次選択する。図１に示すソースドライバ１３及びソースセレクタ部１３Ｓは、画素信号Ｖｐｉｘを、図４に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図３及び図４に示す、所定の本数の駆動電極ＣＯＭＬからなる駆動電極ブロックごとに駆動電極ＣＯＭＬを駆動する。
【００４６】
上述したように、液晶表示デバイス２０は、ゲートドライバ１２が走査信号線ＧＣＬを時分割的に線順次走査するように駆動することにより、１水平ラインが順次選択される。また、液晶表示デバイス２０は、１水平ラインに属する副画素ＳＰｉｘに対して、ソースドライバ１３及びソースセレクタ部１３Ｓが画素信号Ｖｐｉｘを供給することにより、１水平ラインずつ表示が行われる。この表示動作を行う際、駆動電極ドライバ１４は、その１水平ラインに対応する駆動電極ＣＯＭＬを含む駆動電極ブロックに対して表示用駆動電圧ＶｃｏｍＤＣを印加するようになっている。
【００４７】
本実施の形態１に係わる駆動電極ＣＯＭＬは、液晶表示デバイス２０の駆動電極として機能するとともに、タッチ検出デバイス３０の駆動電極としても機能する。図５は、本実施の形態１に係わるタッチ検出デバイス３０の駆動電極及びタッチ検出電極の構成の一例を示す斜視図である。図５に示す駆動電極ＣＯＭＬは、図３に示すように、ＴＦＴ基板２１の表面に対する垂直方向において、画素電極２２に対向している。タッチ検出デバイス３０は、画素基板２に設けられた駆動電極ＣＯＭＬと、対向基板３に設けられたタッチ検出電極ＴＤＬにより構成されている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。
【００４８】
タッチ検出電極ＴＤＬの各電極パターンは、タッチ検出部４０のタッチ検出信号増幅部４２の入力にそれぞれ接続されている。駆動電極ＣＯＭＬとタッチ検出電極ＴＤＬにより互いに交差した電極パターンは、その交差部分に静電容量を生じさせている。なお、タッチ検出電極ＴＤＬ又は駆動電極ＣＯＭＬ（駆動電極ブロック）は、ストライプ状に複数に分割される形状に限られない。例えば、タッチ検出電極ＴＤＬ又は駆動電極ＣＯＭＬ（駆動電極ブロック）は、櫛歯形状であってもよい。あるいは、タッチ検出電極ＴＤＬ又は駆動電極ＣＯＭＬ（駆動電極ブロック）は、複数に分割されていればよく、駆動電極ＣＯＭＬを分割するスリットの形状は直線であっても、曲線であってもよい。
【００４９】
この構成により、タッチ検出デバイス３０では、タッチ検出動作を行う際、駆動電極ドライバ１４が、図２に示す駆動電極ブロックＢを時分割的に線順次走査するように駆動する。これにより、スキャン方向Ｓｃａｎに、駆動信号Ｖｃｏｍ（ＶｃｏｍＡＣ）が印加された駆動電極ＣＯＭＬの駆動電極ブロックＢ（１検出ブロック）は、順次選択される。そして、タッチ検出デバイス３０は、タッチ検出電極ＴＤＬからタッチ検出信号Ｖｄｅｔを出力する。このようにタッチ検出デバイス３０は、１検出ブロックのタッチ検出が行われるようになっている。そして、タッチ検出デバイス３０のタッチ検出面全体にわたる走査によって、外部近接物体の接触または近接が生じた位置の検出も可能となっている。
【００５０】
＜駆動電極ドライバの駆動信号生成部及び駆動電極走査部＞
図６は、本実施の形態１に係わる駆動電極ドライバ１４の駆動信号生成部及び駆動電極走査部１４Ａ、１４Ｂの構成の一例を示すブロック図である。
【００５１】
本実施の形態１に係わる駆動電極ドライバ１４の駆動信号生成部１４Ｑは、高レベル電圧生成部６１と、低レベル電圧生成部６２と、バッファ６３、６４、６５と、スイッチング回路６６とを備えている。駆動信号生成部１４Ｑは、ＣＯＧ１９に実装されている。
【００５２】
高レベル電圧生成部６１は、駆動信号ＶｃｏｍＡＣの高レベル電圧ＴＰＨを生成する。低レベル電圧生成部６２は、表示用駆動電圧ＶｃｏｍＤＣの直流電圧を生成する。この低レベル電圧生成部６２が生成した電圧は、駆動信号ＶｃｏｍＡＣの低レベル電圧ＴＰＬとしても使用される。
【００５３】
バッファ６３は、高レベル電圧生成部６１に接続され、この高レベル電圧生成部６１から供給された電圧ＴＰＨを、インピーダンス変換を行いつつ出力し、スイッチング回路６６に供給する。バッファ６４は、低レベル電圧生成部６２に接続され、この低レベル電圧生成部６２から供給された電圧ＴＰＬを、インピーダンス変換を行いつつ出力し、スイッチング回路６６に供給する。
【００５４】
スイッチング回路６６は、バッファ６３、６４に接続され、駆動制御信号ＥＸＶＣＯＭに基づいてオンオフ（切り替え）動作するスイッチＳＷ６６１を備えている。スイッチング回路６６は、駆動制御信号ＥＸＶＣＯＭに基づいてスイッチＳＷ６６１が切り替え動作し、駆動制御信号ＥＸＶＣＯＭが高レベルの場合と駆動制御信号ＥＸＶＣＯＭが低レベルの場合とを交互に繰り返し、駆動信号ＶｃｏｍＡＣを生成する。スイッチング回路６６は、駆動制御信号ＥＸＶＣＯＭが高レベルの場合に、バッファ６３から供給された電圧ＴＰＨを出力し、駆動制御信号ＥＸＶＣＯＭが低レベルの場合に、バッファ６４から供給された電圧ＴＰＬを出力する。スイッチング回路６６は、駆動制御信号ＥＸＶＣＯＭに基づいて、駆動制御信号ＥＸＶＣＯＭが低レベルの場合に、バッファ６４から供給された電圧ＴＰＬ（ＶｃｏｍＤＣ）を出力する。スイッチング回路６６の出力する電圧は、配線ＶＣＯＭＡＣに供給される。
【００５５】
バッファ６５は、低レベル電圧生成部６２に接続され、この低レベル電圧生成部６２から供給された電圧ＴＰＬを、インピーダンス変換を行いつつ出力し、非選択駆動電極の電位固定用電圧ＶｃｏｍＤＣの直流電圧として出力する。バッファ６５の出力する電圧は、配線ＶＣＯＭＤＣに供給される。
【００５６】
本実施の形態１に係わる駆動電極ドライバ１４の駆動電極走査部１４Ａ、１４Ｂは、走査制御部５１と、タッチ検出走査部５２と、駆動部５３０とを備えている。駆動部５３０は、駆動電極ブロックＢと同じ数の駆動部５３を備えている。図６では、駆動電極ブロックＢの数をｎ個とした場合において、このうちの４個の駆動部５３（ｋ）〜５３（ｋ＋３）を代表的に示している。走査制御部５１は、ＣＯＧ１９に実装されている。また、タッチ検出走査部５２と駆動部５３０とは、表示領域Ａｄの周囲にある額縁領域Ｇｄに配置されている。以後、複数の駆動部５３（ｋ）〜５３（ｋ＋３）のうちの任意の１つを指す場合には、単に駆動部５３を用いることがある。
【００５７】
走査制御部５１は、制御部１１より供給された制御信号に基づいて、タッチ検出走査部５２に対して制御信号ＳＤＣＫ、走査開始信号ＳＤＳＴを供給する。配線ＶＣＯＭＡＣは、上述した駆動信号生成部１４Ｑのスイッチング回路６６から出力された駆動信号ＶｃｏｍＡＣが供給される。また、配線ＶＣＯＭＤＣは、上述した駆動信号生成部１４Ｑのバッファ６５から出力された表示用駆動電圧ＶｃｏｍＤＣが供給される。
【００５８】
走査制御部５１は、駆動電極選択信号ＶＣＯＭＳＥＬをインバータＩＶを介して反転して、駆動部５３０に対して供給する。駆動電極選択信号ＶＣＯＭＳＥＬは、駆動信号生成部１４Ｑのスイッチング回路６６から配線ＶＣＯＭＡＣを経由して駆動電極ＣＯＭＬへ駆動信号ＶｃｏｍＡＣを供給する期間を識別するための信号である。
【００５９】
タッチ検出走査部５２は、複数のシフトレジスタＳ／Ｒを含んで構成され、駆動信号ＶｃｏｍＡＣを印加する駆動電極ＣＯＭＬを選択するための走査信号ＳＴ（ｋ）、ＳＴ（ｋ＋１）、ＳＴ（ｋ＋２）、ＳＴ（ｋ＋３）を生成するものである。具体的には、タッチ検出走査部５２は、シフトレジスタＳ／Ｒが走査制御部５１から供給された走査開始信号ＳＤＳＴをトリガーとして制御信号ＳＤＣＫに同期させて、順次シフトレジスタＳ／Ｒの転送段毎に転送され、順次選択される。選択されたシフトレジスタＳ／Ｒは、走査信号ＳＴ（ｋ）、ＳＴ（ｋ＋１）、ＳＴ（ｋ＋２）、ＳＴ（ｋ＋３）を、駆動部５３０の各論理和回路ＯＲへ送出する。タッチ検出走査部５２は、選択されたシフトレジスタＳ／Ｒが、例えば高レベルの信号をｋ＋２番目の走査信号ＳＴ（ｋ＋２）としてｋ＋２番目の駆動部５３（ｋ＋２）に供給した場合に、この駆動部５３（ｋ＋２）は、ｋ＋２番目の駆動電極ブロックＢ（ｋ＋２）に属する複数の駆動電極ＣＯＭＬに駆動信号ＶｃｏｍＡＣを印加するようになっている。以後、走査信号ＳＴ（ｋ）、ＳＴ（ｋ＋１）、ＳＴ（ｋ＋２）、ＳＴ（ｋ＋３）のうちの任意の１つを指す場合には、走査信号ＳＴを用いることがある。
【００６０】
駆動部５３０は、タッチ検出走査部５２から供給された走査信号ＳＴ、及び走査制御部５１から供給された駆動電極選択信号ＶＣＯＭＳＥＬの反転信号に基づいて、駆動信号生成部１４Ｑから供給された表示用駆動電圧ＶｃｏｍＤＣまたは駆動信号ＶｃｏｍＡＣを駆動電極ＣＯＭＬに印加する回路である。駆動部５３は、タッチ検出走査部５２の出力信号に対応して１つずつ設けられており、対応する駆動電極ブロックＢに対して駆動信号Ｖｃｏｍを印加するようになっている。
【００６１】
駆動部５３は、論理和回路ＯＲと、駆動電極ブロックＢ毎に一対のスイッチＳＷＡＣ１及びＳＷＤＣ１（ＳＷＡＣ２及びＳＷＤＣ２、ＳＷＡＣ３及びＳＷＤＣ３、ＳＷＡＣ４及びＳＷＤＣ４）とを備えている。一対のスイッチＳＷＡＣ１〜ＳＷＡＣ４及びＳＷＤＣ１〜ＳＷＤＣ４は、例えばトランジスタから構成される。スイッチは、閉じたオン状態がトランジスタの導通状態であり、開いたオフ状態がトランジスタの非導通状態である。図６では、タッチ検出動作期間において、駆動電極ブロックＢ（ｋ＋２）が選択された場合における各スイッチＳＷＡＣ１〜ＳＷＡＣ４及びＳＷＤＣ１〜ＳＷＤＣ４の接続状態を示している。
【００６２】
論理和回路ＯＲは、タッチ検出走査部５２から供給された走査信号ＳＴ、及び走査制御部５１から供給された駆動電極選択信号ＶＣＯＭＳＥＬの反転信号の論理和（ＯＲ）を生成して出力する。論理和回路ＯＲは、一対のスイッチＳＷＡＣ１及びＳＷＤＣ１（ＳＷＡＣ２及びＳＷＤＣ２、ＳＷＡＣ３及びＳＷＤＣ３、ＳＷＡＣ４及びＳＷＤＣ４）を相補的にオンオフ制御することができる振幅レベルに増幅するバッファ機能を有している。一対のスイッチＳＷＡＣ１及びＳＷＤＣ１は、論理和回路ＯＲから供給される信号に基づいて相補的にオンオフ制御される。例えば、スイッチＳＷＡＣ１がオンの時はスイッチＳＷＤＣ１がオフとなり、逆にスイッチＳＷＡＣ１がオフの時はスイッチＳＷＤＣ１がオンとなる。
【００６３】
一対のスイッチＳＷＡＣ１及びＳＷＤＣ１において、スイッチＳＷＡＣ１の一端は配線ＶＣＯＭＡＣに接続され、スイッチＳＷＤＣ１の一端は配線ＶＣＯＭＤＣに接続されている。さらに、スイッチＳＷＡＣ１の他端とスイッチＳＷＤＣ１の他端とが接続され、そして、対応する駆動電極ブロックＢに含まれる複数の駆動電極ＣＯＭＬに接続されている。他の一対のスイッチＳＷＡＣ２及びＳＷＤＣ２、ＳＷＡＣ３及びＳＷＤＣ３、ＳＷＡＣ４及びＳＷＤＣ４においても同様である。すなわち、スイッチＳＷＡＣ１〜ＳＷＡＣ４は、配線ＶＣＯＭＡＣと駆動電極ＣＯＭＬとの間に設けられ、スイッチＳＷＤＣ１〜ＳＷＤＣ４は、配線ＶＣＯＭＤＣと駆動電極ＣＯＭＬとの間に設けられている。
【００６４】
この構成により、駆動部５３は、走査信号ＳＴが高レベルかつ駆動電極選択信号ＶＣＯＭＳＥＬが高レベルの場合、駆動電極ブロックＢを配線ＶＣＯＭＡＣに接続し、駆動電極ブロックＢに駆動信号ＶｃｏｍＡＣを駆動信号Ｖｃｏｍとして出力する。この状態は、タッチ検出動作において、スイッチＳＷＡＣ１（ＳＷＡＣ２、ＳＷＡＣ３、ＳＷＡＣ４）が閉じて（オン状態）、スイッチＳＷＤＣ１（ＳＷＤＣ２、ＳＷＤＣ３、ＳＷＤＣ４）が開いた（オフ状態）場合で、タッチ検出で選択された駆動電極ブロックＢへの駆動信号ＶｃｏｍＡＣの出力である。
【００６５】
駆動部５３は、走査信号ＳＴが低レベルかつ駆動電極選択信号ＶＣＯＭＳＥＬが高レベルの場合、駆動電極ブロックＢを配線ＶＣＯＭＤＣに接続し、駆動電極ブロックＢに駆動電圧ＶｃｏｍＤＣを駆動信号Ｖｃｏｍとして出力する。この状態は、タッチ検出動作において、スイッチＳＷＡＣ１（ＳＷＡＣ２、ＳＷＡＣ３、ＳＷＡＣ４）が開いて（オフ状態）、スイッチＳＷＤＣ１（ＳＷＤＣ２、ＳＷＤＣ３、ＳＷＤＣ４）が閉じた（オン状態）場合で、タッチ検出で選択されない駆動電極ブロックＢを固定用の駆動電圧ＶｃｏｍＤＣにする出力である。
【００６６】
また、液晶表示デバイス２０が表示動作している場合、駆動部５３は、駆動電極選択信号ＶＣＯＭＳＥＬが低レベルであって、駆動電極ブロックＢ毎にスイッチＳＷＡＣ１（ＳＷＡＣ２、ＳＷＡＣ３、ＳＷＡＣ４）を全て閉じて（オン状態）、スイッチＳＷＤＣ１（ＳＷＤＣ２、ＳＷＤＣ３、ＳＷＤＣ４）を全て開いた（オフ状態）場合に、表示用駆動電圧ＶｃｏｍＤＣを駆動信号Ｖｃｏｍとして出力する。
【００６７】
ここで、駆動信号ＶｃｏｍＡＣの出力先として選択された駆動電極ブロックＢは、選択駆動電極ブロックである。駆動信号ＶｃｏｍＡＣの出力先として選択されていない駆動電極ブロックＢは、非選択駆動電極ブロックである。例えば、図６に示す駆動部５３（ｋ＋２）が、ｋ＋２番目の駆動電極ブロックＢ（ｋ＋２）に属する複数の駆動電極ＣＯＭＬに駆動信号ＶｃｏｍＡＣを印加するので、駆動電極ブロックＢ（ｋ＋２）は選択駆動電極ブロックである。そして、駆動信号ＶｃｏｍＡＣの出力先として選択されていない駆動電極ブロックＢ（ｋ）、Ｂ（ｋ＋１）、Ｂ（ｋ＋３）は、非選択駆動電極ブロックである。
【００６８】
＜タッチ検出機能付き表示装置の動作＞
続いて、本実施の形態１に係わるタッチ検出機能付き表示装置１の動作について、図１や図７などを用いて説明する。以下の説明では、表示用の駆動信号としての駆動信号Ｖｃｏｍを表示用駆動電圧ＶｃｏｍＤＣとして記載し、タッチ検出用の駆動信号としての駆動信号Ｖｃｏｍを駆動信号ＶｃｏｍＡＣとして記載する。図７は、本実施の形態１に係わるタッチ検出機能付き表示装置１の動作において、タッチ検出動作と表示動作のタイミング波形の一例を示す説明図である。
【００６９】
タッチ検出機能付き表示装置１の動作において、制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する。ゲートドライバ１２は、図７に示す表示動作期間において、液晶表示デバイス２０に走査信号Ｖｓｃａｎを供給し、表示駆動の対象となる１水平ラインを順次選択する。ソースドライバ１３及びソースセレクタ部１３Ｓは、表示動作期間において、ゲートドライバ１２により選択された１水平ラインを構成する各画素Ｐｉｘに、画素信号Ｖｐｉｘを供給する。
【００７０】
駆動電極ドライバ１４は、表示動作期間では、１水平ラインに係る駆動電極ブロックＢに表示用駆動電圧ＶｃｏｍＤＣを印加する。タッチ検出動作期間では、タッチ検出動作に係る駆動電極ブロックＢに対して表示用駆動電圧ＶｃｏｍＤＣよりも周波数の高い駆動信号ＶｃｏｍＡＣを順次印加し、１検出ブロックを順次選択する。タッチ検出機能付き表示デバイス１０は、表示動作期間において、ゲートドライバ１２、ソースドライバ１３、及び駆動電極ドライバ１４により供給された信号に基づいて表示動作を行う。タッチ検出機能付き表示デバイス１０は、タッチ検出動作期間において、駆動電極ドライバ１４により供給された駆動信号ＶｃｏｍＡＣに基づいてタッチ検出動作を行い、タッチ検出電極ＴＤＬからタッチ検出信号Ｖｄｅｔを出力する。
【００７１】
タッチ検出信号増幅部４２は、タッチ検出信号Ｖｄｅｔを増幅して出力する。Ａ／Ｄ変換部４３は、駆動信号ＶｃｏｍＡＣに同期したタイミングで、タッチ検出信号増幅部４２から出力されるアナログ信号をデジダル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求め、タッチパネル座標を信号出力Ｖｏｕｔとして出力する。
【００７２】
次に、図７に基づいて、タッチ検出動作と表示動作について説明する。図７では、タッチ検出動作期間１、表示動作期間１、タッチ検出動作期間２、表示動作期間２を代表的に示している。表示動作期間１、２は、本発明における第１の期間である。タッチ検出動作期間１、２において、タッチ検出動作期間１は本発明における第２の期間であり、タッチ検出動作期間２は本発明における第３の期間である。
【００７３】
図７に示すように、本実施の形態１に係わるタッチ検出機能付き表示装置１は、タッチ検出動作（タッチ検出動作期間）と表示動作（表示動作期間）とに分けて、時分割的に駆動電極ＣＯＭＬに駆動信号Ｖｃｏｍ（表示用駆動電圧ＶｃｏｍＤＣ、駆動信号ＶｃｏｍＡＣ）を供給する。駆動信号ＶｃｏｍＡＣの矩形波は、複数回、振幅させているが、１タッチ検出動作期間中の振幅回数は１回以上であればよい。
【００７４】
駆動電極ＣＯＭＬは、液晶表示デバイス２０の駆動電極として機能するとともに、タッチ検出デバイス３０の駆動電極としても機能するため、表示動作を行う表示動作期間と、タッチ検出動作を行うタッチ検出動作期間とに分けて駆動信号Ｖｃｏｍが印加される。
【００７５】
駆動電極ドライバ１４は、表示動作を行う表示動作期間においては表示用駆動電圧として駆動電圧ＶｃｏｍＤＣを印加する。そして、駆動電極ドライバ１４は、タッチ検出動作を行うタッチ検出動作期間においてはタッチ検出用駆動信号として駆動信号ＶｃｏｍＡＣを印加する。このように、タッチ検出機能付き表示装置１では、時間をずらして、表示用駆動電圧ＶｃｏｍＤＣ及び駆動信号ＶｃｏｍＡＣを配線ＶＣＯＭＡＣに供給する。駆動信号ＶｃｏｍＡＣの波形は、駆動制御信号ＥＸＶＣＯＭの矩形波に同期した波形となる。駆動信号ＶｃｏｍＡＣは、低レベル電圧ＴＰＬと高レベル電圧ＴＰＨとの間で振幅が周期的に変化する交流駆動信号（ＴＰＬ⇔ＴＰＨ）である。
【００７６】
また、図７に示すように、タッチ検出動作期間では、選択駆動電極（選択駆動電極ブロック）のスイッチＳＷＡＣｘの１つがオン動作（閉動作）し、対応するスイッチＳＷＤＣｘの１つがオフ動作（開動作）して、駆動信号ＶｃｏｍＡＣを印加することにより、タッチ検出の走査を行う。また、タッチ検出動作期間では、非選択駆動電極（非選択駆動電極ブロック）のスイッチＳＷＡＣｘの全てがオフ動作（開動作）し、対応するスイッチＳＷＤＣｘの全てがオン動作（閉動作）して、非選択駆動電極の電位を駆動電圧ＶｃｏｍＤＣに固定する。
【００７７】
例えば、タッチ検出動作期間１において、図６に示すように、駆動電極ブロックＢ（ｋ＋２）が選択駆動電極ブロックである場合には、スイッチＳＷＡＣ３がオン動作し、対応するスイッチＳＷＤＣ３がオフ動作する。この場合に、駆動電極ブロックＢ（ｋ）、Ｂ（ｋ＋１）、Ｂ（ｋ＋３）は非選択駆動電極ブロックとなるので、スイッチＳＷＡＣ１、ＳＷＡＣ２、ＳＷＡＣ４がオフ動作し、対応するスイッチＳＷＤＣ１、ＳＷＤＣ２、ＳＷＤＣ４がオン動作する。
【００７８】
このタッチ検出動作期間１の後に表示動作期間１が行われ、この表示動作期間１の後のタッチ検出動作期間２においては、駆動電極ブロックＢ（ｋ＋３）が選択駆動電極ブロックとなる。駆動電極ブロックＢ（ｋ＋３）が選択駆動電極ブロックである場合には、スイッチＳＷＡＣ４がオン動作し、対応するスイッチＳＷＤＣ４がオフ動作する。この場合に、駆動電極ブロックＢ（ｋ）、Ｂ（ｋ＋１）、Ｂ（ｋ＋２）は非選択駆動電極ブロックとなるので、スイッチＳＷＡＣ１、ＳＷＡＣ２、ＳＷＡＣ３がオフ動作し、対応するスイッチＳＷＤＣ１、ＳＷＤＣ２、ＳＷＤＣ３がオン動作する。
【００７９】
タッチ検出機能付き表示装置１は、表示動作期間において、全てのスイッチＳＷＡＣｘ（ＳＷＡＣ１、ＳＷＡＣ２、ＳＷＡＣ３、ＳＷＡＣ４）をオン動作し、全てのスイッチＳＷＤＣｘ（ＳＷＤＣ１、ＳＷＤＣ２、ＳＷＤＣ３、ＳＷＤＣ４）をオフ動作して、駆動電極ＣＯＭＬに対して表示用駆動電圧ＶｃｏｍＤＣ（低レベル電圧ＴＰＬ）を印加する。
【００８０】
このように、本実施の形態１に係わるタッチ検出機能付き表示装置１では、配線ＶＣＯＭＤＣと配線ＶＣＯＭＡＣの役割分担は、以下の通りである。配線ＶＣＯＭＡＣは、本発明における第１の配線または第１の信号線である。配線ＶＣＯＭＤＣは、本発明における第２の配線または第２の信号線である。タッチ検出動作期間中は、配線ＶＣＯＭＡＣはタッチ検出用駆動信号ＶｃｏｍＡＣを供給し、配線ＶＣＯＭＤＣは非選択駆動電極（非選択駆動電極ブロック）を表示用駆動電圧ＶｃｏｍＤＣの電位に固定する。表示動作期間中は、配線ＶＣＯＭＡＣは表示用駆動電圧ＶｃｏｍＤＣを供給し、配線ＶＣＯＭＤＣは使用しない。
【００８１】
より具体的に、配線ＶＣＯＭＤＣには、非選択駆動電極固定用の電位（直流駆動電圧ＶｃｏｍＤＣ）を供給する。さらに、タッチ検出動作期間中は、全ての非選択駆動電極を配線ＶＣＯＭＤＣに接続する。さらに、表示動作期間中は、配線ＶＣＯＭＤＣはどの駆動電極にも接続しない。一方、配線ＶＣＯＭＡＣには、タッチ検出動作期間中はタッチ検出用駆動信号（ＴＰＬ⇔ＴＰＨ）を供給し、表示動作期間中は表示用駆動電圧（ＶｃｏｍＤＣ）を供給する。さらに、タッチ検出動作期間中は、選択駆動電極を配線ＶＣＯＭＡＣに接続し、タッチ検出用駆動信号を選択駆動電極へ供給する。さらに、表示動作期間中は、全ての駆動電極を配線ＶＣＯＭＡＣに接続し、表示用駆動電圧を全ての駆動電極へ供給する。
【００８２】
これにより、配線ＶＣＯＭＤＣの役割を、タッチ検出動作期間中の非選択駆動電極の電位固定のみに限定できるため、この配線ＶＣＯＭＤＣの幅は狭くてよい。図６に示すように、駆動電極ＣＯＭＬと配線ＶＣＯＭＡＣとの間に設けられている配線ＶＣＯＭＤＣの幅は、配線ＶＣＯＭＡＣの幅よりも狭くてよい。例えば、図２に示すような縦長横短のパネルにおいて、左右の額縁領域Ｇｄに配線ＶＣＯＭＤＣを引き回す構造では、数十μｍの単位で左右額縁シュリンク（狭小化）に寄与できる。より具体的には、額縁領域Ｇｄのうち、駆動電極走査部１４Ａ、１４Ｂが占める幅Ｇｄｖが小さくなる。昨今では、左右額縁＝１．０〜０．５ｍｍ程度が主流であるため、上記シュリンクの影響は大きい。
【００８３】
＜比較例＞
ここで、本実施の形態１に対するタッチ検出機能付き表示装置１の特徴を分かり易くするために、本実施の形態１に対する比較例に係わるタッチ検出機能付き表示装置について、図８及び図９を用いて説明する。図８は、比較例に係わる駆動電極ドライバ１４の駆動信号生成部１４Ｑ及び駆動電極走査部１４Ａ、１４Ｂの構成の一例を示すブロック図である。図９は、比較例に係わるタッチ検出機能付き表示装置の動作において、タッチ検出動作と表示動作のタイミング波形の一例を示す説明図である。
【００８４】
図８に示す駆動電極ドライバ１４の駆動信号生成部１４Ｑ及び駆動電極走査部１４Ａ、１４Ｂは、上述した本実施の形態１の図６に対応し、駆動信号生成部１４Ｑは同じ構成である。また、駆動電極走査部１４Ａ、１４Ｂは、駆動部５３の論理回路が論理積回路ＡＮＤに変わっている以外は、同様である。
【００８５】
図９に示すタッチ検出動作と表示動作のタイミング波形は、上述した本実施の形態１の図７に対応し、タッチ検出動作のタイミング波形は同じである。また、表示動作のタイミング波形は、配線ＶＣＯＭＡＣに接続される全てのスイッチＳＷＡＣｘをオフ動作し、配線ＶＣＯＭＤＣに接続される全てのスイッチＳＷＤＣｘをオン動作するというように、逆の動作になっている。
【００８６】
比較例に係わるタッチ検出機能付き表示装置では、配線ＶＣＯＭＤＣと配線ＶＣＯＭＡＣの役割分担は、以下の通りであった。タッチ検出動作期間中は、本実施の形態１と同様に、配線ＶＣＯＭＡＣはタッチ検出用駆動信号ＶｃｏｍＡＣを供給し、配線ＶＣＯＭＤＣは非選択駆動電極を表示用駆動電圧ＶｃｏｍＤＣの電位に固定する。表示動作期間中は、本実施の形態１と異なり、配線ＶＣＯＭＡＣは使用せずに、配線ＶＣＯＭＤＣは表示用駆動電圧ＶｃｏｍＤＣを供給する。
【００８７】
すなわち、配線ＶＣＯＭＤＣについては、表示動作期間中は表示用駆動電圧（ＶｃｏｍＤＣ）を供給し、タッチ検出動作期間中は非選択駆動電極の電位固定に使用するという２つの役割があるため、表示品位保持のために低抵抗化する必要があった。例えば、配線幅＝０．１ｍｍ以上が必要であった。この配線ＶＣＯＭＤＣは、非選択駆動電極の電位固定だけならここまで広くする必要はないが、表示品位優先で配線幅を広くして引かざるを得なかった。また、配線ＶＣＯＭＡＣについては、タッチ検出用駆動信号ＶｃｏｍＡＣ（ＴＰＬ⇔ＴＰＨ）を供給する役割があるため、高速駆動化のために低抵抗化が必要であった。例えば、配線幅＝０．１ｍｍ以上が必要であった。
【００８８】
このように、比較例に係わるタッチ検出機能付き表示装置では、配線ＶＣＯＭＤＣと配線ＶＣＯＭＡＣとの両配線共に配線幅を広く引き回す必要があり、左右額縁シュリンクの阻害要因となっていた。
【００８９】
そこで、本実施の形態１に係わるタッチ検出機能付き表示装置１では、上述したように、表示動作期間中において、配線ＶＣＯＭＡＣは表示用駆動電圧ＶｃｏｍＤＣを供給し、配線ＶＣＯＭＤＣは使用しないようにする。これにより、配線ＶＣＯＭＤＣは、非選択駆動電極の固定のみに使用し、表示用には使わないため、配線幅を大幅にシュリンクすることができる。
【００９０】
＜実施の形態１の効果＞
以上説明した本実施の形態１に係わるタッチ検出機能付き表示装置１によれば、配線ＶＣＯＭＤＣの役割を、タッチ検出動作期間中の非選択駆動電極の電位固定のみに限定できるため、この配線ＶＣＯＭＤＣの幅は狭くてよいので、タッチ駆動高速化と表示品位保持とを両立した額縁狭小化に寄与することができる。特に、左右の額縁領域Ｇｄに配線ＶＣＯＭＤＣを引き回す構造では、左右額縁狭小化に寄与できる表示装置を提供することができる。より詳細には、以下の通りである。
【００９１】
（１）表示動作期間（第１の期間）には、複数の駆動電極ＣＯＭＬを第１の配線ＶＣＯＭＡＣに接続することができる。また、タッチ検出動作期間（第２の期間）には、複数の駆動電極ＣＯＭＬのうちの選択駆動電極を第１の配線ＶＣＯＭＡＣに接続し、複数の駆動電極のうちの他の非選択駆動電極を第２の配線ＶＣＯＭＤＣに接続することができる。
【００９２】
（２）第２の配線ＶＣＯＭＤＣは、複数の駆動電極ＣＯＭＬと第１の配線ＶＣＯＭＡＣとの間に設けることができる。
【００９３】
（３）第２の配線ＶＣＯＭＤＣの幅は、第１の配線ＶＣＯＭＡＣの幅よりも狭いものにすることができる。
【００９４】
（４）表示動作期間において、第１の配線ＶＣＯＭＡＣを介して複数の駆動電極ＣＯＭＬに直流電圧（ＴＰＬ＝ＶｃｏｍＤＣ）を供給することができる。また、タッチ検出動作期間において、複数の駆動電極のうちの選択駆動電極には第１の配線ＶＣＯＭＡＣを介して交流電圧（ＴＰＬ⇔ＴＰＨ）を供給し、複数の駆動電極のうちの他の非選択駆動電極には第２の配線ＶＣＯＭＤＣを介して直流電圧（ＴＰＬ＝ＶｃｏｍＤＣ）を供給することができる。
【００９５】
（５）配線ＶＣＯＭＡＣ（第１の信号線）と、第１のスイッチＳＷＡＣ３と、第２のスイッチＳＷＡＣ４とに着目した場合に、表示動作期間（第１の期間）において、第１のスイッチＳＷＡＣ３と第２のスイッチＳＷＡＣ４とをオン状態にすることができる。また、タッチ検出動作期間１（第２の期間）において、第１のスイッチＳＷＡＣ３をオン状態にし、第２のスイッチＳＷＡＣ４をオフ状態にすることができる。次のタッチ検出動作期間２（第３の期間）において、第１のスイッチＳＷＡＣ３をオフ状態にし、第２のスイッチＳＷＡＣ４をオン状態にすることができる。他のスイッチＳＷＡＣ１、ＳＷＡＣ２に着目した場合も同様である。
【００９６】
（６）配線ＶＣＯＭＤＣ（第２の信号線）と、第３のスイッチＳＷＤＣ３と、第４のスイッチＳＷＤＣ４とに着目した場合に、タッチ検出動作期間１において、第３のスイッチＳＷＤＣ３をオフ状態にし、第４のスイッチＳＷＤＣ４をオン状態にすることができる。次のタッチ検出動作期間２において、第３のスイッチＳＷＤＣ３をオン状態にし、第４のスイッチＳＷＤＣ４をオフ状態にすることができる。他のスイッチＳＷＤＣ１、ＳＷＤＣ２に着目した場合も同様である。
【００９７】
（７）表示動作期間において、第３のスイッチＳＷＤＣ３と第４のスイッチＳＷＤＣ４とをオフ状態にすることができる。他のスイッチＳＷＤＣ１、ＳＷＤＣ２に着目した場合も同様である。
【００９８】
（８）第１のスイッチ及び第２のスイッチを含むスイッチＳＷＡＣ１〜ＳＷＡＣ４、第３のスイッチ及び第４のスイッチを含むスイッチＳＷＤＣ１〜ＳＷＤＣ４は、トランジスタで構成することができる。各スイッチのオン状態では各トランジスタを導通状態にすることができ、各スイッチのオフ状態では各トランジスタを非導通状態にすることができる。
【００９９】
（９）タッチ検出動作期間には、第１の配線ＶＣＯＭＡＣを介して、駆動電極ＣＯＭＬに駆動信号ＶｃｏｍＡＣを供給することができる。また、表示動作期間には、第１の配線ＶＣＯＭＡＣを介して、駆動電極ＣＯＭＬに駆動電圧ＶｃｏｍＤＣを供給することができる。
【０１００】
（１０）駆動信号ＶｃｏｍＡＣは、接地電圧ＧＮＤより電圧レベルが高い第１の電圧ＴＰＨと、接地電圧ＧＮＤより電圧レベルが低い第２の電圧ＴＰＬとの間で振幅が周期的に変化する交流駆動信号とすることができる。
【０１０１】
（１１）タッチ検出動作期間には、第１の配線ＶＣＯＭＡＣを介して、駆動電極ＣＯＭＬに駆駆動信号ＶｃｏｍＡＣとして、第１の電圧ＴＰＨと第２の電圧ＴＰＬとの間で振幅が周期的に変化する交流駆動信号を供給することができる。また、表示動作期間には、第１の配線ＶＣＯＭＡＣを介して、駆動電極ＣＯＭＬに駆動電圧として、第２の電圧ＴＰＬと電圧レベルが等しい直流駆動電圧を供給することができる。
【０１０２】
（１２）上記（１）〜（１１）により、タッチ駆動高速化と表示品位保持とを両立した額縁狭小化に寄与できる表示装置を提供することができる。
【０１０３】
（実施の形態２）
本実施の形態２に係わるタッチ検出機能付き表示装置について、図１０〜図１１を用いて説明する。本実施の形態２においては、上述した実施の形態１と異なる点を主に説明する。
【０１０４】
図１０は、本実施の形態２に係わる駆動電極ドライバ１４の駆動信号生成部１４Ｑ及び駆動電極走査部１４Ａ、１４Ｂの構成の一例を示すブロック図である。図１１は、本実施の形態２に係わるタッチ検出機能付き表示装置の動作において、タッチ検出動作と表示動作のタイミング波形の一例を示す説明図である。なお、上述した実施の形態１で説明したものと同じ構成要素には同一の符号を付して重複する説明は省略する。
【０１０５】
図１０に示すように、本実施の形態２に係わる駆動電極ドライバ１４の駆動信号生成部１４Ｑは、高レベル電圧生成部６１と、低レベル電圧生成部６２と、バッファ６３、６４、６５と、論理回路６７と、スイッチング回路６８とを備えている。駆動信号生成部１４Ｑは、駆動制御信号ＥＸＶＣＯＭ及びタッチ検出期間識別信号ＴＳＨＤが制御部１１から論理回路６７に入力される。タッチ検出期間識別信号ＴＳＨＤは、図１１に示すように、タッチ検出動作を行うタッチ検出動作期間で高い電圧値を示し、表示動作を行う表示動作期間で低い電圧値を示す識別信号である。スイッチング回路６８は、論理回路６７の出力に応じてオンオフ（切り替え）動作するスイッチＳＷ６８１及びスイッチＳＷ６８３と、タッチ検出期間識別信号ＴＳＨＤに応じてオン動作するスイッチＳＷ６８２とを備えている。
【０１０６】
高レベル電圧生成部６１は、駆動信号ＶｃｏｍＡＣの高レベル電圧ＴＰＨを生成する。低レベル電圧生成部６２は、表示用駆動電圧ＶｃｏｍＤＣの直流電圧を生成する。スイッチング回路６８のスイッチＳＷ６８１には、一方の端子に、高レベル電圧生成部６１からバッファ６３を介して供給された電圧ＴＰＨが供給されている。スイッチング回路６８のスイッチＳＷ６８３には、一方の端子に、一定の電圧、例えば接地電圧である固定電圧ＧＮＤが供給されている。スイッチング回路６８のスイッチＳＷ６８２には、低レベル電圧生成部６２からバッファ６４を介して供給された電圧ＴＰＬが供給されている。
【０１０７】
タッチ検出期間識別信号ＴＳＨＤの電位が高レベルの場合、スイッチＳＷ６８２は、オフ動作して、バッファ６４の出力を配線ＶＣＯＭＡＣへ出力しない。そして、タッチ検出期間識別信号ＴＳＨＤの電位が高レベル及び駆動制御信号ＥＸＶＣＯＭの電位が高レベルの場合、スイッチＳＷ６８１はオンし、スイッチＳＷ６８３がオフして、バッファ６３の出力を駆動信号ＶｃｏｍＡＣの高レベル電圧ＴＰＨとして配線ＶＣＯＭＡＣへ出力する。タッチ検出期間識別信号ＴＳＨＤの電位が高レベルかつ駆動制御信号ＥＸＶＣＯＭの電位が低レベルの場合、スイッチＳＷ６８１はオフし、スイッチＳＷ６８３がオンして、固定電圧ＧＮＤを駆動信号ＶｃｏｍＡＣの低レベル電圧として配線ＶＣＯＭＡＣへ出力する。これにより、タッチ検出動作期間において、スイッチング回路６８は、駆動制御信号ＥＸＶＣＯＭに基づいて、高レベル電圧生成部６１が生成する高レベル電圧ＴＰＨと固定電圧ＧＮＤとを交互に繰り返し、駆動信号ＶｃｏｍＡＣを生成する。
【０１０８】
タッチ検出期間識別信号ＴＳＨＤの電位が低レベルの場合、スイッチＳＷ６８１とスイッチＳＷ６８３は共にオフし、スイッチＳＷ６８２は、オン動作して、バッファ６４の低レベル電圧ＴＰＬの出力を表示用駆動電圧として配線ＶＣＯＭＡＣへ出力する。このように、表示動作期間において、配線ＶＣＯＭＡＣには、低レベル電圧生成部６２が生成する低レベル電圧ＴＰＬが供給される。
【０１０９】
本実施の形態２に係わるタッチ検出機能付き表示装置１は、タッチ検出動作期間において、駆動電極ＣＯＭＬに対して供給する駆動信号ＶｃｏｍＡＣの下位電位が接地電圧ＧＮＤとなる。これにより、駆動信号生成部１４Ｑは、バッファ６４のオン抵抗を介さず、駆動信号ＶｃｏｍＡＣの矩形波をたち下げることができる。その結果、駆動信号ＶｃｏｍＡＣの立ち下がりが速くなり、駆動信号ＶｃｏｍＡＣの矩形波のパルス幅を狭くして高速駆動することができる。そして、本実施の形態２に係わるタッチ検出機能付き表示装置１は、消費電力を低減することができる。より詳細には、上述した実施の形態１と異なる効果は以下の通りである。
【０１１０】
（１）タッチ検出動作期間において、駆動電極ＣＯＭＬに供給する駆動信号ＶｃｏｍＡＣは、接地電圧ＧＮＤと、接地電圧ＧＮＤより電圧レベルが高い第１の電圧ＴＰＨとの間で振幅が周期的に変化する交流駆動信号とすることができる。
【０１１１】
（２）タッチ検出動作期間には、第１の配線ＶＣＯＭＡＣを介して、駆動電極ＣＯＭＬに駆動信号として、接地電圧ＧＮＤと第１の電圧ＴＰＨとの間で振幅が周期的に変化する交流駆動信号を供給することができる。また、表示動作期間には、第１の配線ＶＣＯＭＡＣを介して、駆動電極ＣＯＭＬに駆動電圧として、接地電圧ＧＮＤより電圧レベルが低い第２の電圧ＴＰＬの直流駆動電圧を供給することができる。
【０１１２】
本発明の思想の範疇において、当業者であれば、各種の変形例及び修正例に想到し得るものであり、それら変形例及び修正例についても本発明の範囲に属するものと了解される。例えば、前述の各実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【０１１３】
また、本実施の形態において述べた態様によりもたらされる他の作用効果について本明細書の記載から明らかなもの、または当業者において適宜想到し得るものについては、当然に本発明によりもたらされるものと解される。
【符号の説明】
【０１１４】
１  タッチ検出機能付き表示装置
２  画素基板
３  対向基板
６  液晶層
１０  タッチ検出機能付き表示デバイス
１１  制御部
１２、１２Ａ、１２Ｂ  ゲートドライバ
１３  ソースドライバ
１４  駆動電極ドライバ
１４Ａ、１４Ｂ  駆動電極走査部
１４Ｑ  駆動信号生成部
２０  液晶表示デバイス
２１  ＴＦＴ基板
２２  画素電極
３０  タッチ検出デバイス
５１  走査制御部
５２  タッチ検出走査部
５３  駆動部
６１  高レベル電圧生成部
６２  低レベル電圧生成部
６３、６４、６５  バッファ
６６  スイッチング回路
６７  論理回路
６８  スイッチング回路
ＣＯＭＬ  駆動電極
ＴＤＬ  タッチ検出電極
ＳＷＡＣ  スイッチ
ＳＷＤＣ  スイッチ
Ｓ／Ｒ  シフトレジスタ
ＯＲ  論理和回路
ＶＣＯＭＡＣ  配線
ＶＣＯＭＤＣ  配線
ＶｃｏｍＡＣ  駆動信号
ＶｃｏｍＤＣ  表示用駆動電圧
Ｖｃｏｍ  駆動信号
【図１】
2017010216.tif 000003
【図２】
2017010216.tif 000004
【図３】
2017010216.tif 000005
【図４】
2017010216.tif 000006
【図５】
2017010216.tif 000007
【図６】
2017010216.tif 000008
【図７】
2017010216.tif 000009
【図８】
2017010216.tif 000010
【図９】
2017010216.tif 000011
【図１０】
2017010216.tif 000012
【図１１】
2017010216.tif 000013